(57)【要約】【課題】テーブル本体をアームに対して簡便かつ見栄え良くスライド調節可能に取り付けられるシートバックテーブルを提供すること。【解決手段】シートバックテーブル１は、テーブル本体２とその挿通路２Ｂ内に挿通されるレール４との間に設けられた係止構造が、テーブル本体２の挿通路２Ｂ内に張り出す前側係止爪２Ｅと、レール４に取り付けられて前側係止爪２Ｅとの当接によりテーブル本体２の引き抜きを規制するストッパ５とを有する。ストッパ５は、締結部５Ｂによるレール４への締め付けが途中の状態で、押込み部５Ｃが外部から押し込まれることで、当接片５Ａが前側係止爪２Ｅと当たらない姿勢に押し傾けられ、当接片５Ａが前側係止爪２Ｅを越える所定の挿通位置まで挿通された状態において押込み部５Ｃと締結部５Ｂとがテーブル本体２の外部に露出して外部からの本締めが可能とされる。【選択図】図８
2020172215.tif 000002
【特許請求の範囲】
【請求項１】
シートバックテーブルであって、
載置面を備えるテーブル本体と、
該テーブル本体に形成された挿通路に挿通されて前記テーブル本体を挿通方向にスライド可能なように支持するレールと、
該レールと前記テーブル本体との間に設けられた係止構造と、を有し、
前記係止構造が、前記テーブル本体の前記挿通路内に張り出す係止爪と、前記レールに取り付けられ前記テーブル本体の前記レールからの引き抜きを前記係止爪との当接により規制するストッパと、を有し、
前記ストッパが、前記係止爪との当接部となる当接片と、前記レールに対する差込式の締結構造を成す締結部と、該締結部の前記レールに対する締め付け途中において外部からの押し込み力により前記ストッパを前記レールとの当接点を支点に揺動させて前記当接片を前記係止爪と当たらない姿勢に切り換えられる押込み部と、を有し、前記押込み部の押し込みにより前記レールを前記当接片が前記係止爪を前記挿通方向に越える所定の挿通位置まで前記テーブル本体の前記挿通路内に挿通可能とされ、かつ、前記所定の挿通位置において前記押込み部と前記締結部とが前記テーブル本体の外部に露出するシートバックテーブル。
【請求項２】
請求項１に記載のシートバックテーブルであって、
前記レールが、前記ストッパの前記締結部が締結される締結座と、該締結座よりも凹んで該締結座を支点とした前記押込み部の押し込みを逃がす逃がし凹部と、を有するシートバックテーブル。
【請求項３】
請求項１又は請求項２に記載のシートバックテーブルであって、
前記締結部が、前記ストッパに形成された通し孔と、該通し孔に通されて前記レールに締結される締結軸と、を有し、
前記締結軸が、前記通し孔よりも小径とされて、該通し孔との間の隙間により前記ストッパを前記締結軸を中心に揺動させられるシートバックテーブル。
【請求項４】
請求項３に記載のシートバックテーブルであって、
前記締結軸の頭部と前記ストッパの前記通し孔の周縁との当接構造が、円錐台状に傾斜した傾斜座面同士の当接構造とされるシートバックテーブル。
【請求項５】
請求項１から請求項４のいずれかに記載のシートバックテーブルであって、
前記レールが、前記ストッパを取り囲み状に収めた形にセットすることのできる収容凹部を有し、前記ストッパが、前記収容凹部内で前記締結部により１箇所で前記レールに締結されるシートバックテーブル。
【発明の詳細な説明】
【技術分野】
【０００１】
本発明は、シートバックテーブルに関する。
【背景技術】
【０００２】
特許文献１には、航空機用シートのシートバックの背裏部に、後席の着座者が使用可能なシートバックテーブルが設けられた構成が開示されている。上記シートバックテーブルは、シートバックから背裏側に張り出す左右一対のアームにテーブル本体が取り付けられた構成とされる。
【先行技術文献】
【特許文献】
【０００３】
【特許文献１】特開２００６−２８２１３２号公報
【発明の概要】
【発明が解決しようとする課題】
【０００４】
テーブル本体を左右一対のアームに対して前後方向にスライド調節可能な構成とするためには、例えば、テーブル本体を各アームに差し込んだ後に、スライドの可動範囲を規制するためのストッパピンをテーブル本体の側部から差し込んで各アームに取り付ける必要がある。それにより、テーブル本体の側部に、ストッパピンを差し込んだ孔が露出し、見栄えが悪くなる。そこで、本発明は、テーブル本体をアームに対して簡便かつ見栄え良くスライド調節可能に取り付けられるシートバックテーブルを提供する。
【課題を解決するための手段】
【０００５】
上記課題を解決するために、本発明のシートバックテーブルは次の手段をとる。
【０００６】
すなわち、本発明のシートバックテーブルは、載置面を備えるテーブル本体と、テーブル本体に形成された挿通路に挿通されてテーブル本体を挿通方向にスライド可能なように支持するレールと、レールとテーブル本体との間に設けられた係止構造と、を有する。係止構造が、テーブル本体の挿通路内に張り出す係止爪と、レールに取り付けられテーブル本体のレールからの引き抜きを係止爪との当接により規制するストッパと、を有する。ストッパが、係止爪との当接部となる当接片と、レールに対する差込式の締結構造を成す締結部と、締結部のレールに対する締め付け途中において外部からの押し込み力によりストッパをレールとの当接点を支点に揺動させて当接片を係止爪と当たらない姿勢に切り換えられる押込み部と、を有し、押込み部の押し込みによりレールを当接片が係止爪を挿通方向に越える所定の挿通位置までテーブル本体の挿通路内に挿通可能とされ、かつ、所定の挿通位置において押込み部と締結部とがテーブル本体の外部に露出する。
【０００７】
上記構成によれば、ストッパをレールに途中まで締結した仮固定状態で、押込み部を押し込むことで、ストッパをテーブル本体の係止爪に引掛けることなく、レールをテーブル本体に挿通して組み付けることができる。上記ストッパは、当接片が係止爪を越える所定の挿通位置までレールがテーブル本体に挿通されても、押込み部と締結部とが外部に露出した状態とされる。したがって、レールの所定の挿通位置までの挿通作業と、上記所定の挿通位置での締結部の本締め作業とを、テーブル本体にアクセス用の孔を空けることなく外部から簡便に行うことができる。
【０００８】
また、本発明のシートバックテーブルは、更に次のように構成されていても良い。レールが、ストッパの締結部が締結される締結座と、締結座よりも凹んで締結座を支点とした押込み部の押し込みを逃がす逃がし凹部と、を有する。
【０００９】
上記構成によれば、ストッパの押込み部をより適切に押し込むことができる。
【００１０】
また、本発明のシートバックテーブルは、更に次のように構成されていても良い。締結部が、ストッパに形成された通し孔と、通し孔に通されてレールに締結される締結軸と、を有する。締結軸が、通し孔よりも小径とされて、通し孔との間の隙間によりストッパを締結軸を中心に揺動させられる。
【００１１】
上記構成によれば、ストッパをレールに途中まで締結した仮固定状態からであっても、ストッパをより適切に揺動させることができる。
【００１２】
また、本発明のシートバックテーブルは、更に次のように構成されていても良い。締結軸の頭部とストッパの通し孔の周縁との当接構造が、円錐台状に傾斜した傾斜座面同士の当接構造とされる。
【００１３】
上記構成によれば、締結軸の頭部をストッパの通し孔から軸方向に大きく張り出させることなく、締結軸を締め付けの途中状態にすることができる。したがって、締結軸が締め付けの途中状態であっても、レールをテーブル本体に挿通する際に、締結軸の頭部がテーブル本体に引掛かりにくくなる。また、締結軸の頭部をストッパの通し孔に対して、互いの円錐台状に傾斜した傾斜座面同士の当接構造によりセンタリングした状態に締結することができる。
【００１４】
また、本発明のシートバックテーブルは、更に次のように構成されていても良い。レールが、ストッパを取り囲み状に収めた形にセットすることのできる収容凹部を有する。ストッパが、収容凹部内で締結部により１箇所でレールに締結される。
【００１５】
上記構成によれば、ストッパをレールに対して大きく張り出させることなく組み付けることができると共に、１箇所の締結のみで適切に位置決めした状態に組み付けることができる。
【図面の簡単な説明】
【００１６】
【図１】第１の実施形態に係るシートバックテーブルの概略構成を表す斜視図である。
【図２】テーブル本体の前後方向の使用位置を調整した状態を表す斜視図である。
【図３】テーブル本体のレールとの係合構造を表す斜視図である。
【図４】テーブル本体をレールに差し込む前の状態を表す斜視図である。
【図５】ストッパをレールから外した状態を表す斜視図である。
【図６】ストッパをレールの収容凹部にセットした状態を表す斜視図である。
【図７】ストッパを締結軸により途中まで締め付けた状態を表す斜視図である。
【図８】ストッパの押込み部を押し込んで当接片を係止爪と当たらない姿勢に切り換えた状態を表す平面図である。
【図９】図８の要部拡大図である。
【図１０】図８の状態からレールをテーブル本体内に挿通した状態を表す平面図である。
【図１１】図１０の状態から締結軸を外部から本締めした状態を表す平面図である。
【図１２】図１１の要部拡大図である。
【発明を実施するための形態】
【００１７】
以下に、本発明を実施するための形態について、図面を用いて説明する。
【００１８】
《第１の実施形態》
（シートバックテーブル１の概略構成について）
始めに、本発明の第１の実施形態に係るシートバックテーブル１の構成について、図１〜図１２を用いて説明する。なお、以下の説明において、前後上下左右等の各方向を示す場合には、各図中に示されたそれぞれの方向を指すものとする。また、「シート幅方向」と示す場合には、後述するシート１０の左右方向を指すものとする。
【００１９】
図１に示すように、本実施形態に係るシートバックテーブル１は、航空機用のシート１０に適用されている。上記シート１０は、着座者の背凭れ部を成すシートバック１１と、着座部を成す不図示のシートクッションと、を有する。上記シートバック１１の背裏部には、後席の着座者が展開して使用することのできるシートバックテーブル１が設けられている。
【００２０】
上記シートバックテーブル１は、載置面２Ａを備える略平板状のテーブル本体２と、シートバック１１の下部から延び出してテーブル本体２を支える左右一対のアーム３と、各アーム３に取り付けられてテーブル本体２を前後スライド可能なように支持するレール４と、を有する。
【００２１】
各アーム３は、不図示のシートクッションの左右両サイドの後端部に回転可能なようにピン連結されている。それにより、各アーム３は、不図示のシートクッションの後端部に対して、シート幅方向に延びる軸回りに揺動可能とされている。また、各アーム３は、それらの上端部が、各レール４の図示前側の端部に回転可能なようにピン連結されている。
【００２２】
それにより、各アーム３は、各レール４上に取り付けられたテーブル本体２を、それらの上端部に対して、シート幅方向に延びる軸回りに揺動させられるようになっている。以上の構成により、テーブル本体２は、各アーム３を介して、シートバック１１の背裏側に略水平状に倒されて使用される展開位置と、シートバック１１の背裏部に重ね合わせ状に畳まれる格納位置と、に切り換え可能とされる。
【００２３】
上記シートバックテーブル１は、図２に示すように、テーブル本体２が略水平状に倒された展開位置の状態では、使用者がテーブル本体２を把持して前後方向に動かすことにより、テーブル本体２の使用位置を前後方向に調整することが可能とされる。具体的には、テーブル本体２が使用者により前後方向に動かされることにより、テーブル本体２が各レール４に沿って前後方向に摺動して位置調整される。
【００２４】
上記テーブル本体２の各レール４に対する前後方向の位置調整範囲は、次のようになっている。すなわち、図３〜図４に示すように、左右両側のレール４に取り付けられたストッパ５の当接片５Ａが、テーブル本体２に設けられた前側係止爪２Ｅに当たって係止される位置と、後側係止爪２Ｆに当たって係止される位置と、の間で、テーブル本体２が各レール４に対して前後方向に位置調整可能とされる。
【００２５】
上記テーブル本体２は、図４に示すように、各側のレール４にストッパ５が取り付けられてから、その図示前縁部の左右２箇所に形成された各挿通路２Ｂ内に各レール４が前方から挿通されることで、各レール４に組み付けられている。その際、各側のレール４にストッパ５が取り付けられていると、各レール４をテーブル本体２の挿通路２Ｂ内に挿通する際に、各ストッパ５の当接片５Ａがテーブル本体２内に張り出す前側係止爪２Ｅに突き当たってしまい、挿通が阻害されてしまう。
【００２６】
しかし、本実施形態に係るシートバックテーブル１は、上記のように各側のレール４にストッパ５が取り付けられる構成であっても、各ストッパ５の当接片５Ａをテーブル本体２内に張り出す前側係止爪２Ｅに突き当てることなく挿通路２Ｂ内に挿通できる構成とされる。ここで、前側係止爪２Ｅが、それぞれ、本発明の「係止爪」に相当する。
【００２７】
以下、上記テーブル本体２及びレール４の具体的な構成について、詳しく説明する。テーブル本体２には、図４に示すように、その図示前縁部の左右２箇所に、各レール４を前方から内部に挿通することの可能な挿通路２Ｂが開口して形成されている。そして、上記テーブル本体２の各挿通路２Ｂ内には、それぞれ、内部に挿通された各レール４と互いに前後方向に摺動可能なように係合するガイド２Ｃが設けられている。
【００２８】
各ガイド２Ｃは、前後方向に長尺状に延びる棒形状とされて、その上下部に、前後方向に筋状に延びる形に突出する案内突条２Ｄが形成された構成とされる。また、左側のガイド２Ｃには、その左側の側部に、前後方向に筋状に延びる形に突出する摺動突条２Ｇが形成された構成とされる。上記各ガイド２Ｃは、上記案内突条２Ｄが互いに左右対称状に形成された構成とされる。しかし、摺動突条２Ｇは、左側のガイド２Ｃにのみ形成されている。
【００２９】
一方、各レール４は、上記テーブル本体２の各挿通路２Ｂ内に前方から挿通されることで、各挿通路２Ｂ内のガイド２Ｃにそれぞれ前方から嵌り込んで、各ガイド２Ｃに沿って前後方向に摺動可能となる構成とされる。具体的には、各レール４は、それぞれ、横断面が略Ｃ字状に折り曲げられた形状とされて、それらのＣ字内に各ガイド２Ｃを嵌め込ませる構成とされる。
【００３０】
同嵌め込みにより、各レール４は、各ガイド２Ｃの上下部に形成された案内突条２Ｄと高さ方向及びシート幅方向の内側からそれぞれ当接する。それにより、各レール４が、各ガイド２Ｃに対して、高さ方向とシート幅方向とにガタ付かない状態に組み付けられる。
【００３１】
図５に示すように、左側のレール４の外壁部には、同レール４のＣ字内に転動体となるボールを弾性支持した状態として突出させるボールプランジャ４Ｆが装着されている。上記ボールプランジャ４Ｆは、各レール４がテーブル本体２の各挿通路２Ｂ内に挿通されて各ガイド２Ｃに組み付けられることで、その先端側のボールが左側のガイド２Ｃの摺動突条２Ｇに左側から弾性的に押し付けられる。それにより、テーブル本体２を各レール４に対して前後方向にスライドさせる操作に対して、適度な摺動抵抗に伴う節度感が付与されるようになっている。
【００３２】
また、各ガイド２Ｃには、それらの前端部分のシート幅方向の外側の側部に、各々の挿通路２Ｂ内に向かって張り出す前側係止爪２Ｅが形成されている。また、各ガイド２Ｃには、それらの前後方向の中間部分のシート幅方向の外側の側部に、各々の挿通路２Ｂ内に向かって張り出す後側係止爪２Ｆが形成されている。そして、各レール４には、それぞれ、上記各ガイド２Ｃの前側係止爪２Ｅと後側係止爪２Ｆとに対する当接部となる当接片５Ａを備えるストッパ５が取り付けられている。
【００３３】
具体的には、各ストッパ５は、図５〜図７に示すように、各側のレール４の外壁部に形成された収容凹部４Ａ内にシート幅方向の外側からそれぞれセットされて、差込式の締結構造を成す締結部５Ｂにより各側のレール４に締結されることで各レール４に取り付けられている。上記各ストッパ５は、それぞれ、図５に示すように、前後方向に長尺な形をした１枚の金属プレートから成り、その後端部がシート幅方向の内側に折り曲げられて各側のレール４のＣ字内に張り出す当接片５Ａが形成された構成とされる。
【００３４】
上記各当接片５Ａは、各レール４の収容凹部４Ａ内に形成された外壁部を貫通する通し孔４Ｄから各レール４のＣ字内に通されて張り出す構成とされる。なお、左側のストッパ５に形成された当接片５Ａには、その張り出した先の下側部分に、肉抜き状に切り欠かれた切り欠き５Ａ１が形成されている。上記切り欠き５Ａ１により、左側のストッパ５の当接片５Ａは、左側のレール４がテーブル本体２の挿通路２Ｂ内に挿通されてガイド２Ｃに組み付けられた際に、同ガイド２Ｃの摺動突条２Ｇとの当たりを避けて右側に突出できるようになっている。
【００３５】
以下、各ストッパ５のレール４に対する組み付け構造の具体的な構成について、代表して左側のストッパ５のレール４に対する組み付け構造を説明する。各ストッパ５のレール４に対する組み付け構造は、互いに左右対称状の構成とされている。
【００３６】
締結部５Ｂは、ストッパ５の略中央部に形成された丸孔状の通し孔５Ｂ１と、同通し孔５Ｂ１に通されてレール４の外壁部（締結座４Ｂ）に形成された雌ねじ孔から成る締結孔４Ｃに締結される締結軸５Ｂ２と、から成る。上記通し孔５Ｂ１は、図５及び図１２に示すように、その孔の内径が締結軸５Ｂ２の差し込み側となる左側（シート幅方向の外側）に向かって円錐台状に拡径する、傾斜状の内周面（傾斜座面５Ｂ１ａ）を持つ孔形状とされる。
【００３７】
一方、締結軸５Ｂ２も、図１２に示すように、その頭部５Ｂ２ａの締結座４Ｂ上に底付く座面が、上記通し孔５Ｂ１の傾斜座面５Ｂ１ａ上に適合する形に当てられる円錐台状に傾斜した傾斜座面５Ｂ２ｂとして形成されている。上記締結軸５Ｂ２は、図９に示すように、その軸の直径が、ストッパ５の通し孔５Ｂ１の底側の内径よりもひとまわり小さな形状とされている。それにより、上記締結軸５Ｂ２がストッパ５の通し孔５Ｂ１内に通されてレール４の締結孔４Ｃ内に途中まで締め付けられた状態では、同締結軸５Ｂ２とストッパ５の通し孔５Ｂ１との間に径方向の隙間Ｔが形成されるようになっている。
【００３８】
したがって、上記締結軸５Ｂ２を締結孔４Ｃ内に途中まで締め付けた状態では、使用者がストッパ５の前端側のプレート領域である押込み部５Ｃを外部から内側（シート幅方向の内側）に向けて押し込むように操作することで、ストッパ５を締結座４Ｂを支点に上記隙間Ｔの範囲内で押し傾けることができる。上記レール４の収容凹部４Ａ内には、上記押込み部５Ｃが外部から押し込まれた際に、同押込み部５Ｃの移動を逃がせるように底面が部分的に凹まされた逃がし凹部４Ｅが形成されている。
【００３９】
上記締結軸５Ｂ２は、その頭部５Ｂ２ａの座面が、ストッパ５の通し孔５Ｂ１の傾斜座面５Ｂ１ａに適合する傾斜座面５Ｂ２ｂとされている。それにより、締結軸５Ｂ２は、その頭部５Ｂ２ａの傾斜座面５Ｂ２ｂがストッパ５の通し孔５Ｂ１内に入り込んだ状態において、ストッパ５の通し孔５Ｂ１との間に径方向の隙間Ｔを形成できる構成とされる。したがって、締結軸５Ｂ２の頭部５Ｂ２ａをストッパ５から大きく張り出させることなく、締結軸５Ｂ２をストッパ５に対して緩く締め付けた状態にすることができる。
【００４０】
上記押込み部５Ｃの押し込みにより、ストッパ５は、当接片５Ａが左側（シート幅方向の外側）へ引き上げられるように操作される。それにより、ストッパ５は、図８及び図１０に示すように、上記締結軸５Ｂ２によりレール４に緩く取り付けられた状態（仮固定状態）でテーブル本体２の挿通路２Ｂ内に挿通されても、その当接片５Ａが、挿通路２Ｂ内に張り出すガイド２Ｃの前側係止爪２Ｅに突き当てられることなく、当接片５Ａが前側係止爪２Ｅを後側に越える位置まで挿通できるようになっている。
【００４１】
上記ストッパ５は、上記のようにレール４が当接片５Ａを前側係止爪２Ｅの後側に越えさせる位置（所定の挿通位置Ｐ）まで挿通路２Ｂ内に挿通されても、上記締結軸５Ｂ２の頭部５Ｂ２ａと押込み部５Ｃとがテーブル本体２の外部に露出する状態をとれる構成とされる。したがって、上記ストッパ５を、使用者による押込み部５Ｃの押込み状態を維持しながら上記所定の挿通位置Ｐまで挿通することができる。
【００４２】
また、上記挿通後に、図１１に示すように、テーブル本体２の外部に露出する締結軸５Ｂ２の頭部５Ｂ２ａに締結工具を差し込んで、締結軸５Ｂ２の本締め作業を行うことができる。上記本締めにより、ストッパ５は、その当接片５Ａが、テーブル本体２側の前側係止爪２Ｅ及び後側係止爪２Ｆと前後方向に対面して当接可能な状態となる。それにより、レール４をテーブル本体２に対して引き抜きを規制した状態に組み付けることができる。
【００４３】
上記ストッパ５は、レール４をテーブル本体２から取り外す際には、上記とは逆の手順によって締結軸５Ｂ２を外部から緩めることにより、それ自体をレール４から取り外すことなく、レール４をテーブル本体２から取り外すことができる。すなわち、先ず、レール４を図１１で前述した所定の挿通位置Ｐの状態にして締結軸５Ｂ２の頭部５Ｂ２ａを外部に露出させる状態とする。
【００４４】
次に、上記締結軸５Ｂ２を外部から締結工具を差し込んで緩めた状態にし、更に図１０に示すようにストッパ５の押込み部５Ｃを押し込んでストッパ５を押し傾けながらレール４をテーブル本体２から引き抜く（図８参照）。それにより、ストッパ５の当接片５Ａを前側係止爪２Ｅに引掛けることなく、レール４をテーブル本体２から簡便に引き抜くことができる。
【００４５】
（まとめ）
以上をまとめると、本実施形態に係るシートバックテーブル１は、次のような構成となっている。すなわち、シートバックテーブル（１）は、載置面（２Ａ）を備えるテーブル本体（２）と、テーブル本体（２）に形成された挿通路（２Ｂ）に挿通されてテーブル本体（２）を挿通方向にスライド可能なように支持するレール（４）と、レール（４）とテーブル本体（２）との間に設けられた係止構造と、を有する。
【００４６】
係止構造が、テーブル本体（２）の挿通路（２Ｂ）内に張り出す係止爪（２Ｅ）と、レール（４）に取り付けられテーブル本体（２）のレール（４）からの引き抜きを係止爪（２Ｅ）との当接により規制するストッパ（５）と、を有する。
【００４７】
ストッパ（５）が、係止爪（２Ｅ）との当接部となる当接片（５Ａ）と、レール（４）に対する差込式の締結構造を成す締結部（５Ｂ）と、締結部（５Ｂ）のレール（４）に対する締め付け途中において外部からの押し込み力によりストッパ（５）をレール（４）との当接点（４Ｂ）を支点に揺動させて当接片（５Ａ）を係止爪（２Ｅ）と当たらない姿勢に切り換えられる押込み部（５Ｃ）と、を有する。
【００４８】
ストッパ（５）は、押込み部（５Ｃ）の押し込みによりレール（４）を当接片（５Ａ）が係止爪（２Ｅ）を挿通方向に越える所定の挿通位置（Ｐ）までテーブル本体（２）の挿通路（２Ｂ）内に挿通可能とされ、かつ、所定の挿通位置（Ｐ）において押込み部（５Ｃ）と締結部（５Ｂ）とがテーブル本体（２）の外部に露出する。
【００４９】
上記構成によれば、ストッパ（５）をレール（４）に途中まで締結した仮固定状態で、押込み部（５Ｃ）を押し込むことで、ストッパ（５）をテーブル本体（２）の係止爪（２Ｅ）に引掛けることなく、レール（４）をテーブル本体（２）に挿通して組み付けることができる。
【００５０】
上記ストッパ（５）は、当接片（５Ａ）が係止爪（２Ｅ）を越える所定の挿通位置（Ｐ）までレール（４）がテーブル本体（２）に挿通されても、押込み部（５Ｃ）と締結部（５Ｂ）とが外部に露出した状態とされる。したがって、レール（４）の所定の挿通位置（Ｐ）までの挿通作業と、上記所定の挿通位置（Ｐ）での締結部（５Ｂ）の本締め作業とを、テーブル本体（２）にアクセス用の孔を空けることなく外部から簡便に行うことができる。
【００５１】
また、レール（４）が、ストッパ（５）の締結部（５Ｂ）が締結される締結座（４Ｂ）と、締結座（４Ｂ）よりも凹んで締結座（４Ｂ）を支点とした押込み部（５Ｃ）の押し込みを逃がす逃がし凹部（４Ｅ）と、を有する。上記構成によれば、ストッパ（５）の押込み部（５Ｃ）をより適切に押し込むことができる。
【００５２】
また、締結部（５Ｂ）が、ストッパ（５）に形成された通し孔（５Ｂ１）と、通し孔（５Ｂ１）に通されてレール（４）に締結される締結軸（５Ｂ２）と、を有する。締結軸（５Ｂ２）が、通し孔（５Ｂ１）よりも小径とされて、通し孔（５Ｂ１）との間の隙間（Ｔ）によりストッパ（５）を締結軸（５Ｂ２）を中心に揺動させられる。上記構成によれば、ストッパ（５）をレール（４）に途中まで締結した仮固定状態からであっても、ストッパ（５）をより適切に揺動させることができる。
【００５３】
また、締結軸（５Ｂ２）の頭部（５Ｂ２ａ）とストッパ（５）の通し孔（５Ｂ１）の周縁との当接構造が、円錐台状に傾斜した傾斜座面（５Ｂ１ａ，５Ｂ２ｂ）同士の当接構造とされる。上記構成によれば、締結軸（５Ｂ２）の頭部（５Ｂ２ａ）をストッパ（５）の通し孔（５Ｂ１）から軸方向に大きく張り出させることなく、締結軸（５Ｂ２）を締め付けの途中状態にすることができる。
【００５４】
したがって、締結軸（５Ｂ２）が締め付けの途中状態であっても、レール（４）をテーブル本体（２）に挿通する際に、締結軸（５Ｂ２）の頭部（５Ｂ２ａ）がテーブル本体（２）に引掛かりにくくなる。また、締結軸（５Ｂ２）の頭部（５Ｂ２ａ）をストッパ（５）の通し孔（５Ｂ１）に対して、互いの円錐台状に傾斜した傾斜座面（５Ｂ１ａ，５Ｂ２ｂ）同士の当接構造によりセンタリングした状態に締結することができる。
【００５５】
また、レール（４）が、ストッパ（５）を取り囲み状に収めた形にセットすることのできる収容凹部（４Ａ）を有する。ストッパ（５）が、収容凹部（４Ａ）内で締結部（５Ｂ）により１箇所でレール（４）に締結される。上記構成によれば、ストッパ（５）をレール（４）に対して大きく張り出させることなく組み付けることができると共に、１箇所の締結のみで適切に位置決めした状態に組み付けることができる。
【００５６】
《その他の実施形態について》
以上、本発明の実施形態を１つの実施形態を用いて説明したが、本発明は上記実施形態のほか、以下に示す様々な形態で実施することができるものである。
【００５７】
１．本発明のシートバックテーブルは、航空機用のシートの他、自動車や鉄道等の車両や船舶等の様々な乗物用に供されるシートにも広く適用することができるものである。また、シートバックテーブルは、映画館や競技場等の施設に設置される非乗物用のシートにも広く適用することができるものである。
【００５８】
２．シートバックテーブルは、シートバックに対して展開格納可能に設けられるものに限らず、展開位置でレールに対してスライド可能なように設けられるのみの構成であっても良い。上記シートバックテーブルのレールに対するスライド方向は、前後方向の他、左右方向であっても良い。
【００５９】
３．ストッパは、一方のレールにのみ設定されていても良い。ストッパは、レールの収容凹部内にセットされるものの他、レールの一般面から張り出す形に設けられるものであっても良い。ストッパは、レールの外側部に組み付けられるものの他、レールの上部又は下部に組み付く構成であっても良い。
【００６０】
４．締結軸の頭部は、ストッパの通し孔内に入り込むことなく、ストッパの通し孔から出た外側面上に底付く構成であっても良い。
【符号の説明】
【００６１】
１      シートバックテーブル
２      テーブル本体
２Ａ    載置面
２Ｂ    挿通路
２Ｃ    ガイド
２Ｄ    案内突条
２Ｅ    前側係止爪（係止爪）
２Ｆ    後側係止爪
２Ｇ    摺動突条
３      アーム
４      レール
４Ａ    収容凹部
４Ｂ    締結座（当接点）
４Ｃ    締結孔
４Ｄ    通し孔
４Ｅ    逃がし凹部
４Ｆ    ボールプランジャ
５      ストッパ
５Ａ    当接片
５Ａ１  切り欠き
５Ｂ    締結部
５Ｂ１  通し孔
５Ｂ１ａ  傾斜座面
５Ｂ２  締結軸
５Ｂ２ａ  頭部
５Ｂ２ｂ  傾斜座面
５Ｃ    押込み部
１０    シート
１１    シートバック
Ｐ      所定の挿通位置
Ｔ      隙間
【図１】
2020172215.tif 000003
【図２】
2020172215.tif 000004
【図３】
2020172215.tif 000005
【図４】
2020172215.tif 000006
【図５】
2020172215.tif 000007
【図６】
2020172215.tif 000008
【図７】
2020172215.tif 000009
【図８】
2020172215.tif 000010
【図９】
2020172215.tif 000011
【図１０】
2020172215.tif 000012
【図１１】
2020172215.tif 000013
【図１２】
2020172215.tif 000014